【事件の表示】
　特許第２７６６５６５号「床構造」の請求項１及び２に係る特許に対する特許異議の申立てについて、次のとおり決定する。
【結　論】
　訂正を認める。
　特許第２７６６５６５号の請求項１に係る特許を維持する。
【理　由】
一　手続きの経緯
　本件特許第２７６６５６５号発明は、平成３年７月３０日に特許出願され、平成１０年４月３日にその特許の設定登録がなされ、その後、ナショナル住宅産業株式会社より特許異議の申立てがなされ、次いで、取消理由通知がなされ、その指定期間内である平成１１年７月１３日に訂正請求がなされた後、訂正拒絶理由が通知され、平成１２年１月３１日に訂正拒絶理由に対して手続補正書が提出されたものである。
　
二　訂正の適否についての判断
１　訂正請求に対する補正の適否について
　特許権者が行った、訂正請求書に添付した訂正明細書の補正は、特許請求の範囲の減縮及び明りょうでない記載の釈明と認められるから、訂正請求書の要旨を変更するものでなく、特許法等の一部を改正する法律（平成６年法律第１１６号）附則第６条第１項の規定により準用され、なお従前の例によるとされる特許法第１２０条の４第３項において準用する同法第１３１条第２項の規定に適合する。
２　訂正請求の概要
　上記訂正請求の趣旨は、特許第２７６６５６５号の明細書を訂正請求書に添付した訂正明細書のとおり訂正することを求めることである。
　訂正の要旨は以下のとおりである。
（ａ）訂正事項１
　特許請求の範囲の請求項１の、
「縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持しかつこの框材の双方をその幅方向にまとめて外側から挟むための一対の側板を持つ框材受具が設けられ、また、前記束基礎は、隣接する床パネルの接合された縦框材の下方に、該縦框材の長さ方向に間隔あけて複数配置され、前記床パネルの縦框材を支持していることを特徴とする床構造。」との記載を、
「縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持する矩形板状の受け板、およびこの受け板の端部に立設されこれらの框材の双方をその幅方向にまとめて外側から挟むための一対の側板を持つ框材受具が設けられ、また、前記束基礎は、そのコンクリート基礎部が、アンカーボルトを備えかつ工場等において既に成形されたプレキャストコンクリート製のコンクリートブロックであり、隣接する床パネルの接合された縦框材の下方に、該縦框材の長さ方向に間隔あけて複数配置され、前記床パネルの縦框材を支持しており、前記束金物は、その棒状部分からずれた位置に設けられた１本の前記アンカーボルトに取り付けられることを特徴とする床構造。」と訂正する。
　また、請求項２を削除する。
（ｂ）訂正事項２
　明細書段落【００１１】の「【課題を解決するための手段】本発明の床構造は、縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であり、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持しかつこの框材の双方をその幅方向にまとめて外側から挟むための一対の側板を持つ框材受具が設けられ、また、前記束基礎は、隣接する床パネルの接合された縦框材の下方に、該縦框材の長さ方向に間隔あけて複数配置され、前記床パネルの縦框材を支持していることを前記課題の解決手段とした。」との記載を、「【課題を解決するための手段】本発明の床構造は、縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持する矩形板状の受け板、およびこの受け板の端部に立設されこれらの框材の双方をその幅方向にまとめて外側から挟むための一対の側板を持つ框材受具が設けられ、また、前記束基礎は、そのコンクリート基礎部が、アンカーボルトを備えかつ工場等において既に成形されたプレキャストコンクリート製のコンクリートブロックであり、隣接する床パネルの接合された縦框材の下方に、該縦框材の長さ方向に間隔あけて複数配置され、前記床パネルの縦框材を支持しており、前記束金物は、その棒状部分からずれた位置に設けられた１本の前記アンカーボルトに取り付けられることを前記課題の解決手段とした。」と、
同段落【００３５】の「次に、束金物９…は、束基礎２…（コンクリート基礎部８…）の１本のアンカーボルト８ａに取り付けられ（図１及び図３参照）、さらに框材受具９ｃ…の高さをそれぞれ布基礎３の高さに合わせられる（図１参照）。そして、布基礎３及び束基礎２…上に床パネル１…を載置していく。この際に、床パネル１…は、床の一側縁（床パネル１の長さ方向に沿った側縁と平行な床の側縁）側から載置していく。」との記載を、「次に、束金物９…は、束基礎２…（コンクリート基礎部８…）の１本のアンカーボルト８ａに取り付けられ（図１及び図３参照）、さらに框材受具９ｃ…の高さをそれぞれ布基礎３の高さに合わせられる（図１参照）。ここで、アンカーボルト８ａがベースプレート９ａを貫通して取り付ける位置は、棒状のボルト９ｂ、９ｄ、ターンバックル部９ｅからずれた位置とされている。そして、布基礎３及び束基礎２…上に床パネル１…を載置していく。この際に、床パネル１…は、床の一側縁（床パネル１の長さ方向に沿った側縁と平行な床の側縁）側から載置していく。」と訂正する。
　また、同段落【００１２】を削除する。
３　訂正の目的の適否、及び新規事項・拡張・変更の存否
　上記訂正事項１は、請求項１に記載の「框材受具」、「コンクリート基礎部」及び「束金物の取り付け構造」の構成を限定したものであり、請求項２を削除したものであるから、特許請求の範囲の減縮に該当し、
　上記訂正事項２は、上記訂正事項１による特許請求の範囲の減縮に伴い生じる、特許請求の範囲の記載と発明の詳細な説明の記載との不整合を回避するために行う、明りょうでない記載の釈明に該当するものということができる。
　そして、上記訂正により請求項１に追加された事項の、框材受具に関する「矩形板状の受け板、およびこの受け板の端部に立設され」は、特許明細書段落【００２５】（特許公報第６欄第３８〜４４行）に、コンクリート基礎部に関する「アンカーボルトを備えかつ工場等において既に成形されたプレキャストコンクリート製のコンクリートブロックであり」は、同段落【００２１】（同第６欄第６〜１１行）に、また束金物の取り付け構造に関する「その棒状部分からずれた位置に設けられた１本の前記アンカーボルトに取り付けられる　」は、同段落【００２１】（同第６欄第６〜１１行）並びに第１及び３図に記載されているから、訂正事項１及び２で訂正した事項は、願書に添付した明細書及び図面に記載された事項の範囲内の訂正であり、また、実質的に特許請求の範囲を拡張又は変更するものではない。
４　独立特許要件の判断
（１）訂正後の発明
　訂正後の請求項１に係る発明は、上記訂正請求により提出された全文訂正明細書（以下、「訂正明細書」という。）の特許請求の範囲の請求項１に記載された上記のとおりのもの（上記「１　訂正請求の概要の（ａ）訂正事項１」の項を参照。）と認められる。
（２）刊行物（甲号証）記載の発明
〈刊行物１〉
　当審が通知した訂正拒絶理由で引用した、本件特許発明の出願前に頒布された特開昭６１−１８６６６２号公報（異議申立人ナショナル住宅産業株式会社が提出した甲第１号証。以下、「刊行物１」という。）には、第１頁右下欄下から２行目〜第２頁左上欄第１３行、第２頁左下欄第３〜８行の記載、及び第１〜３図の記載からみて、「縦枠材と横枠材とから矩形枠状に形成された枠組と、枠組上面に添着される床板とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、基礎部上に垂直に立設され、かつ伸縮自在な棒状の束金具とからなり、前記束金具は、その上部に、隣り合う前記枠材の双方を下方から支持する矩形板状の受板が設けられ、また、前記束基礎は、隣接する床パネルの接合された縦枠材の下方に、該縦枠材の長さ方向に間隔あけて複数配置され、前記床パネルの縦枠材を支持していることを特徴とする床構造。」の発明が記載されているものと認められる。
〈刊行物２〉
　当審が通知した訂正拒絶理由で引用した、本件特許発明の出願前に頒布された特開昭６１−１１７３５９号公報（同甲第４号証。以下、「刊行物２」という。）には、「第５図乃至第８図は本発明の他の実施例を示すもので・・・パネル枠受け１５ａには嵌合具１０が固着してある。・・・そして隣合うパネル枠１６の端部同士をパネル枠受け１５ａで支持させつつジョイントさせるものである。・・・」（第２頁右下欄第３行〜第３頁左上欄第１６行）の記載、及び第５〜８図の記載からみて、「隣合うパネル枠の端部同士を支持するとともに、幅方向にまとめて外側から挟むための一対の側板を持つ嵌合具を固着したパネル枠受け。」の発明が記載されているものと認められる。
〈甲第２号証〉
　異議申立人ナショナル住宅産業株式会社が提出した甲第２号証（特開昭６２−２９１３６０号公報）には、第２頁右上欄第１１行〜左下欄第２行及び第１図の記載からみて、「隣り合う外枠の双方を下方から支持しかつこの外枠の双方をその幅方向にまとめて外側から挟むための一対の立上がり片を持つ床受台。」が記載されているものと認められる。
〈甲第３号証〉
　同甲第３号証（実願昭５２−１１１８１８号（実開昭５４−３７９２３号）のマイクロフィルム）には、明細書第２頁第１１〜１４行及び図面の記載からみて、「隣り合う外枠体の双方を下方から支持しかつこの外枠体の双方をその幅方向にまとめて外側から挟むための一対の側板を持つ外枠体受具。」が記載されているものと認められる。
〈甲第５号証〉
　同甲第５号証（実願平１−１１４７３６号（実開平３−５４８３８号）のマイクロフィルム）には、明細書第３頁第１６〜２０行及び第４頁第１１〜１５行並びに第１図の記載からみて、「工場で生産されたコンクリート製の束基礎に、１本の植込みボルト（アンカーボルト）が突設され、上記ボルトに緊結金物が取り付けられた建物基礎構造。」が記載されているものと認められる。
〈甲第６号証〉
　同甲第６号証（実願昭５８−１８８８５４号（実開昭６０−９７８３５号）のマイクロフィルム）には、明細書第３頁第１３〜第４頁第４行及び第２図の記載からみて、「コンクリート・ブロックからなる束石に、床束を構成する１本のボルトが突設され、上記ボルトに床梁の受具が取り付けられた床束付き束石。」が記載されているものと認められる。
（３）対比・判断
　そこで、訂正後の請求項１に係る発明（以下、「本件訂正発明」という。）と、刊行物１に記載された発明とを対比すると、刊行物１に記載された発明の「縦枠」、「横枠」、「枠組」、「束金具」及び「受板」は、本件訂正発明の「縦框」、「横框」、「枠組」、「束金物」及び「框材受具」にそれぞれ相当するから、両者は下記の相違点１〜３で相違し、その余の点では一致している。
〈相違点１〉
　上部に隣り合う框材の双方を下方から支持する框材受具について、本件訂正発明が、矩形板状の受け板と、この受け板の端部に立設され、框材の双方をその幅方向にまとめて外側から挟むための一対の側板を持つのに対し、刊行物１に記載の発明は、矩形板状の受板のみからなり、一対の側板がない点。
〈相違点２〉
　床パネルについて、本件訂正発明が、複数の棧材を設けているのに対し、刊行物１に記載の発明は、棧材を設けていない点。
〈相違点３〉
　束金物の取り付け構造について、本件訂正発明が、「束金物は、その棒状部分からずれた位置に設けられた１本の前記アンカーボルトに取り付けられる」構造であるのに対し、刊行物１に記載の発明は、そのような取り付け構造を有していない点。
　上記相違点について検討する。
　相違点１について、隣合うパネル枠の端部同士を支持するとともに、幅方向にまとめて外側から挟むための一対の側板を持つ嵌合具（本件訂正発明の「框材受具」に相当する。）は、刊行物２に記載されているように公知であり、しかも、刊行物１に記載の発明と刊行物２に記載の発明とは、床パネル構造という共通の技術分野に属するものであるから、刊行物１に記載の発明の構成に刊行物２に記載の発明の構成を適用して、本件訂正発明の相違点１に係る構成とすることは、当業者であれば容易に想到しうることである。
　相違点２について、建築の分野において、パネルに棧材を設けることは、従来から周知であるから、刊行物１に記載の発明の構成に上記周知の技術を適用して、本件訂正発明の相違点２に係る構成とすることは、当業者であれば容易に想到しうることである。
　相違点３について、刊行物２には、上記相違点３に係る構成は何ら記載されておらず、その示唆するところもない。また、甲第２及び３号証には、上記相違点１に係る構成と一部共通する構成が記載されているが、上記相違点３に係る構成は何ら記載されておらず、その示唆するところもない。さらに、甲第５及び６号証には、コンクリート基礎部に１本のボルトを突設し、該ボルトに框材受具（緊結金物、床梁の受具）を取り付けている構成が記載されているが、上記相違点３に係る構成は何ら記載されておらず、その示唆するところもない。
　そして、本件訂正発明は、上記相違点３に係る構成を有することにより、「さらに、束金物はコンクリートブロックの１本のアンカーボルトに取り付けられるため、取付を容易かつ確実に行うことができる。」（訂正明細書段落【００４８】）との格別顕著な効果を奏するものである。
　したがって、本件訂正発明は、上記刊行物１及び２に記載された発明並びに甲第２、３、５及び６号証に記載された発明に基いて、当業者が容易に発明をすることができたものとはいえない。
　また、他に本件訂正発明が独立して特許を受けることができない理由を発見しない。
　よって、本件訂正発明は特許出願の際独立して特許を受けることができる発明ということができる。
５　むすび
　以上のとおりであるから、上記訂正請求は、特許法等の一部を改正する法律（平成６年法律第１１６号）附則第６条第１項の規定によりなお従前の例によるとされる特許法第１２０条の４第２項及び同条第３項で準用する第１２６条第２〜４項の規定に適合するので、当該訂正を認める。
　
三　特許異議の申立てについての判断
１　本件訂正発明
　本件の訂正後の請求項１に係る発明（本件訂正発明）は、訂正明細書の特許請求の範囲の請求項１に記載された上記のとおりのもの（上記「二　訂正の適否についての判断　１　訂正請求の概要の（ａ）訂正事項１」の項を参照。）と認められる。
２　異議申立ての理由の概要
　異議申立人のナショナル住宅産業株式会社は、特許明細書の特許請求の範囲の請求項１に係る発明は、本件特許発明の出願前に頒布された甲第１〜４号証に記載された発明に基いて、また同請求項２に係る発明は、同甲第１〜６号証に記載された発明に基いて、当業者が容易に発明をすることができたものであり、特許法第２９条第２項の規定により特許を受けることができないものであるから、その特許を取り消すべき旨を主張している。
３　甲号証記載の発明
　甲第１〜６号証には、上記「二　訂正の適否についての判断　３　独立特許要件の判断　（２）刊行物（甲号証）記載の発明」の項にそれぞれ記載された発明が記載されている。
４　当審の判断
　異議申立人のナショナル住宅産業株式会社の上記主張については、上記「二　訂正の適否についての判断　３　独立特許要件の判断　（３）対比・判断」の項で検討したように、本件訂正発明は、上記甲第１〜６号証に記載された発明に基いて、当業者が容易に発明をすることができたものとすることはできない。
　
四　むすび
　以上のとおりであるから、特許異議申立人の主張する理由及び提出した証拠方法によっては、本件訂正発明の特許を取り消すことはできない。
　また、他に上記本件訂正発明の特許を取り消すべき理由を発見しない。
　よって、結論のとおり決定する。
【異議決定日】
平成１２年３月８日（２０００．３．８）
【訂正の要旨】
（訂正の要旨）
１．訂正事項１
　特許請求の範囲の減縮を目的として、
（１）特許請求の範囲の請求項１の、
「縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持しかつこの框材の双方をその幅方向にまとめて外側から挟むための一対の側板を持つ框材受具が設けられ、また、前記束基礎は、隣接する床パネルの接合された縦框材の下方に、該縦框材の長さ方向に間隔あけて複数配置され、前記床パネルの縦框材を支持していることを特徴とする床構造。」との記載を、
「縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持する矩形板状の受け板、およびこの受け板の端部に立設されこれらの框材の双方をその幅方向にまとめて外側から挟むための一対の側板を持つ框材受具が設けられ、また、前記束基礎は、そのコンクリート基礎部が、アンカーボルトを備えかつ工場等において既に成形されたプレキャストコンクリート製のコンクリートブロックであり、隣接する床パネルの接合された縦框材の下方に、該縦框材の長さ方向に間隔あけて複数配置され、前記床パネルの縦框材を支持しており、前記束金物は、その棒状部分からずれた位置に設けられた１本の前記アンカーボルトに取り付けられることを特徴とする床構造。」と訂正する。
（２）請求項２を削除する。
２．訂正事項２
　上記訂正事項１による特許請求の範囲の減縮に伴い生じる、特許請求の範囲の記載と発明の詳細な説明の記載との不整合を回避するために、明りょうでない記載の釈明を目的として、
（１）明細書段落【００１１】の「【課題を解決するための手段】本発明の床構造は、縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であり、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持しかつこの框材の双方をその幅方向にまとめて外側から挟むための一対の側板を持つ框材受具が設けられ、また、前記束基礎は、隣接する床パネルの接合された縦框材の下方に、該縦框材の長さ方向に間隔あけて複数配置され、前記床パネルの縦框材を支持していることを前記課題の解決手段とした。」との記載を、「【課題を解決するための手段】本発明の床構造は、縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持する矩形板状の受け板、およびこの受け板の端部に立設されこれらの框材の双方をその幅方向にまとめて外側から挟むための一対の側板を持つ框材受具が設けられ、また、前記束基礎は、そのコンクリート基礎部が、アンカーボルトを備えかつ工場等において既に成形されたプレキャストコンクリート製のコンクリートブロックであり、隣接する床パネルの接合された縦框材の下方に、該縦框材の長さ方向に間隔あけて複数配置され、前記床パネルの縦框材を支持しており、前記束金物は、その棒状部分からずれた位置に設けられた１本の前記アンカーボルトに取り付けられることを前記課題の解決手段とした。」と訂正する。
（２）同段落【００３５】の「次に、束金物９…は、束基礎２…（コンクリート基礎部８…）の１本のアンカーボルト８ａに取り付けられ（図１及び図３参照）、さらに框材受具９ｃ…の高さをそれぞれ布基礎３の高さに合わせられる（図１参照）。そして、布基礎３及び束基礎２…上に床パネル１…を載置していく。この際に、床パネル１…は、床の一側縁（床パネル１の長さ方向に沿った側縁と平行な床の側縁）側から載置していく。」との記載を、「次に、束金物９…は、束基礎２…（コンクリート基礎部８…）の１本のアンカーボルト８ａに取り付けられ（図１及び図３参照）、さらに框材受具９ｃ…の高さをそれぞれ布基礎３の高さに合わせられる（図１参照）。ここで、アンカーボルト８ａがベースプレート９ａを貫通して取り付ける位置は、棒状のボルト９ｂ、９ｄ、ターンバックル部９ｅからずれた位置とされている。そして、布基礎３及び束基礎２…上に床パネル１…を載置していく。この際に、床パネル１…は、床の一側縁（床パネル１の長さ方向に沿った側縁と平行な床の側縁）側から載置していく。」と訂正する。
（３）同段落【００１２】を削除する。
（５４）【発明の名称】
床構造
（５７）【特許請求の範囲】
　　【請求項１】　縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持する
矩形板状の受け板、およびこの受け板の端部に立設されこれら
そのコンクリート基礎部が、アンカーボルトを備えかつ工場等において既に成形されたプレキャストコンクリート製のコンクリートブロックであり、
おり、前記束金物は、その棒状部分からずれた位置に設けられた１本の前記アンカーボルトに取り付けられる
【発明の詳細な説明】
　　　【０００１】
　　【産業上の利用分野】
　基礎上に床パネルを縦横に並列に隙間なく配置してなる住宅の一階の床構造に関するものである。
　　　【０００２】
　　【従来の技術】
　一般に、床の構造は、建物の該周縁に沿って、地面上に配置された布基礎と、該布基礎の内側に、縦横に略等間隔で複数列に配置された独立基礎と、該独立基礎の列に沿って、該独立基礎上に複数平行に配置された大引きと、該大引き上に、該大引きに対して直角に配置され、かつ対向配置された布基礎間に架け渡される根太と、該根太上に配置され、床となる板状の床材とからなるものである。前記大引きと根太は、平面視して格子状に配置されており、床の荷重を受けるようになっている。
　　　【０００３】
　また、プレハブ住宅等においては、床パネルを基礎上に縦横に並列に配置することにより床を構成する工法が知られている。従来、前記床パネルは、縦框材と、横框材を矩形枠状に組んだ枠体と、該枠体の長さ方向に沿って、縦框材と平行に、横框材間に複数架け渡された棧材と、枠体上面に貼設され、床材となる面材とからなるものである。
　　　【０００４】
　この床パネルを用いた床構造は、住宅の該周縁に略沿って配置された布基礎と、該布基礎の内側に、略等間隔で複数列平行に配置された帯状の束基礎と、該束基礎の束金物上に、束基礎に沿って配置された大引きと、該大引き上及び布基礎上に、該大引きに対して縦框材及び棧材を直角にして、縦横に並列に配置された前記床パネルとからなるものである。すなわち、この床構造においては、床パネルの縦框材及び棧材が、前記一般の床構造において、大引きに対して直角に配置された根太に対応するようになっている。
　　　【０００５】
　また、前記束基礎は、独立基礎に代わって使用されるものであって、地業上に、平面視して長尺な矩形状に型枠を建て込み、この型枠の内部にコンクリートを打設して形成されたコンクリート基礎部と、該コンクリート基礎部に、コンクリート基礎の長さ方向に沿って所定の間隔をあけて立設された束金物とからなるものである。該束金物は、ターンバックルにより伸縮自在に形成された棒状のものであり、その上部に大引きを支持する大引き受具が設けられている。
　　　【０００６】
　このような、床パネルを用いた床構造は、大引き上に床パネルを設置することができるので、建築現場において、大引き上に根太を設置し、その根太上に床材を貼設していく手間を省くことができる。また、独立基礎に代わって、伸縮自在な束金物を有する束基礎を使用することにより、大引きの水平レベルを容易に合わせることができる。
　　　【０００７】
　　【発明が解決しようとする課題】
　ところで、床パネル自体は、縦横の框材と棧材と面材とから、床にかかる荷重を受けるのに十分な強度を有する構造とすることができものであり、プレハブ住宅における現場作業の省力化の面から、床の施工において、大引きを設置する作業が無い方が好ましい。
　　　【０００８】
　しかしながら、大引きを用いずに全ての床パネルを布基礎及び束基礎で支持する構造とした場合には、束基礎を増やすか、一部の束基礎を布基礎に変更するなどして、各床パネルを支持するようにしなければならない。
　　　【０００９】
　基礎の施工は、極めて手間のかかるものであり、上記のように束基礎を増やしたり、布基礎の部分を増やしたりすれば、かえって、現場作業の手間を増やすことになってしまうという問題点があった。
　　　【００１０】
　また、束基礎として束金物を用いる場合、この束金物によって床パネル同士の接合部分を確実に支持する必要がある。本発明は前記事情に鑑みて提案されたもので、その目的とするところは、住宅の一階の床において、床パネルを支持するのに大引きを必要とせず、さらに、束金物によって、床パネル同士の接合部分を容易かつ確実に支持することができる床構造を提供することである。
　　　【００１１】
　　【課題を解決するための手段】
　本発明の床構造は、縦框材と横框材とから矩形枠状に形成された枠体と、該枠体の長さ方向に対して直角に、対向する縦框材同士をつなぐように設けられた複数の棧材と、枠体上面に貼設されて床材となる面材とからなる床パネルを基礎上に縦横に並列に敷き詰めてなる床構造であって、前記床パネルと、該床パネルより構成された床面の周縁部を支持する布基礎と、前記床面の床パネル同士の接合部分を支持する束基礎とを具備してなり、前記束基礎は、地面上に設けられたコンクリート基礎部と、コンクリート基礎部上に垂直に立設され、かつ伸縮自在な棒状の束金物とからなり、前記束金物は、その上部に、隣り合う前記框材の双方を下方から支持する
矩形板状の受け板、およびこの受け板の端部に立設されこれら
そのコンクリート基礎部が、アンカーボルトを、備えかつ工場等において既に成形されたプレキャストコンクリート製のコンクリートブロックであり、
おり、前記束金物は、その棒状部分からずれた位置に設けられた１本の前記アンカーボルトに取り付けられる
　　　【００１２】
　　　【００１３】
　　【作用】
　前記構成によれば、束基礎により、隣接した床パネルの接合された縦框材が支持される構造となっており、該縦框材が、従来の大引きに対応することになる。また、床パネルの棧材は、縦框材に対して、直角に配置されており、該棧材と横框材が、従来の根太に対応することになる。
　　　【００１４】
　従って、大引きを使用しない構成としても、床パネルの縦框材が、束基礎に支持されて、大引きの代わりになると共に、床パネルの横框材及び棧材が、根太の代わりとなり、これら縦横の框材及び棧材により床材となる面材が支持される構成となるので、従来の床パネルを用いない床構造と同等の強度を確保することができる。また、框材受具の側板によって、隣り合う框材をまとめて外側から挟むようにしているため、床パネルが左右方向にずれるのを簡単な構造で規制することができ、さらに、床パネルを配設する際、床パネルの一つをこの框材受具上に載せた場合であっても、この框材が簡単に框材受具から外れることがなく、接着剤の塗布や釘打ち等のその後の作業を容易に進めることが可能となる。
　　　【００１５】
　また、束基礎のコンクリート基礎部をプレキャストコンクリート製のコンクリートブロックとしたことにより、地面上に束基礎を載置するだけで、束基礎を配置することができる。さらに、束金物はコンクリートブロックの１本のアンカーボルトに取り付けられるため、取付を容易かつ確実に行うことができる。
　　　【００１６】
　　【実施例】
　以下、本発明の実施例を図面を参照して説明する。図１ないし図５は、本実施例の床構造もしくは該床構造で用いられる床パネル１、束基礎２等を示すものであって、該床構造は、床パネル１と、該床パネル１を支持する布基礎３及び束基礎２とを主体として構成されるものである。
　　　【００１７】
　図２に示す前記床パネル１は、前記従来例で述べたように、縦框材４、４及び横框材５、５を矩形枠状に組んでなる枠体１ａと、該枠体１ａ内部に複数配設された棧材６…と、枠体１ａ上面に貼設されて床材となる面材７とからなるものである。
　　　【００１８】
　なお、前記従来例の床パネルの棧材が、縦框材に平行に、横框材同士をつなぐように配置されていたのに対して、本実施例の床パネル１の棧材６…は、縦框材４、４に対して直角に、縦框材４、４同士をつなぐように配置されている。また、縦框材４、４と横框材５、５もしくは棧材６…との接合部は、接着材により接合されると共に、釘等により接合されている。
　　　【００１９】
　前記布基礎３は、一般の木造住宅で使用される周知の布基礎であり、図１に示すように、地業３ｃ上に設けられ、かつ埋め戻されたフーチン部３ａと、フーチン部３ａ上に立設され、床パネル１及び壁パネル（図示略）を支持する立上部３ｂとからなるものである。なお、前記地業３ｃは、布基礎３の長さ方向に沿って地面に掘られた根切り穴（図示略）の底に、砕石等を敷き、これら砕石を転圧して上面を平にしたものである。
　　　【００２０】
　そして、布基礎３は、図４に示すように、建築される建物の外周に略沿って形成されるものである。また、布基礎３の上面には、床パネル１及び壁パネルを布基礎３上に固定するためのアンカーボルト３ｄが、その下部を布基礎３内に埋設した状態で垂直に延出している。
　　　【００２１】
　前記束基礎２は、図３に示すように、プレキャストコンクリート製コンクリートブロックである直方体状のコンクリート基礎部８と、該コンクリート基礎部８上に立設された束金物９とからなるものである。前記コンクリート基礎部８は、その上面に束金物９を支持するためのアンカーボルト８ａが突出している。
　　　【００２２】
　前記束金物９は、周知のものであり、コンクリート基礎部８に固定されると共に、垂直に立設されたボルト９ｂを有する板状のベースプレート９ａと、床パネル１の縦框材４、４を支持すると共に、鉛直方向に垂設されたボルト９ｄを有する框材受具９ｃと、ベースプレート９ａのボルト９ｂ及び框材受具９ｃのボルト９ｄと螺合するパイプ状のターンバックル部９ｅとからなるものである。
　　　【００２３】
　前記ターンバックル部９ｅは、該ターンバックル部９ｅを上下に貫通する貫通孔（図示略）の上部と下部とがそれぞれねじ孔となっている。そして、貫通孔の下部が左ねじ、上部が右ねじとなっているものである。また、ターンバックル部９ｅの中央部には、外面を略四角柱状に成形したスパナ掛け部９ｆが設けられている。そして、ベースプレート９ａのボルト９ｂは左ねじ、框材受具９ｃのボルト９ｄは右ねじとなっている。また、ベースプレート９ａのボルト９ｂ及び框材受具９ｃのボルト９ｄには、ターンバックル部９ｅの前にそれぞれナット９ｇ、９ｇが螺合されている。
　　　【００２４】
　このような構成のもとに、束金物９は、ターンバックル部９ｅをスパナにより左右に回転させることにより、框材受具９ｃの高さを調整できるようになっていると共に、前記ナット９ｇ、９ｇをそれぞれターンバックル部９ｅ側に締め付けることにより、ターンバックル部９ｅを固定して、框材受具９ｃの高さを固定できるようになっている。
　　　【００２５】
　また、前記框材受具９ｃは、矩形板状の受け板９ｈと、受け板９ｈの長さ方向に沿った両側縁の左右両端部に立設された４枚の側板９ｉ…とからなっている。前記受け板９ｈには、４つの透孔９ｊが設けられており、受け板９ｈ上に載置された床パネル１の縦框材４を受け板９ｈの下方から釘９ｋ（図１に図示）等により受け板９ｈに接合できるようになっている。
　　　【００２６】
　前記側板９ｉ…は、隣接する床パネル１、１の接合された縦框材４、４を受け板９ｈの長さ方向と平行に受け板９ｈ上に載置した際に、両側縁の側板９ｉ、９ｉの間に２本の縦框材４、４が嵌合するように配置されている。すなわち、受け板９ｈの幅は、縦框材４、４の幅の２倍となっている。また、受け板９ｈの側縁の左右両端部の側板９ｉ、９ｉ同士の間の間隔は、略横框材５の幅の２倍となっている。
　　　【００２７】
　そして、前後左右に２枚づつ接合された４枚の床パネル１…の中心に、框材受具９ｃを配置した際に、受け板９ｈの側縁の左右に配置された側板９ｉ、９ｉ同士の間に２本の横框材５、５が嵌合するようになっている。また、この側板９ｉ、９ｉ同士の問には、受け板９ｈに縦框材４、４を載置した際に、縦框材４に接合された棧材６が入るようになっている。
　　　【００２８】
　図４は、平面視して略正方形状の家屋における布基礎３と束基礎２の配置を示したものであり、図４は、布基礎３及び束基礎２上に面板７を取り外した状態の床パネル１を配置して、床パネル１の縦框材４…及び横框材５…及び棧材６…の配置を示したものである。
　　　【００２９】
　そして、束基礎２は、図５に示すように、床パネル１…を縦横に並列に配置した際に、床パネル１…の縦框材４…同士が接合される部分に、縦框材４…の長さ方向に沿って間隔をあけて配置されるようになっている。また、縦框材４…同士が接合され、かつ、横框材５…も接合される部分（床パネル同士が縦方向に接合される部分）には、必ず束基礎２が配置されるようになっている。さらに、それ以外の位置でも、束基礎２は、縦框材４…の棧材６…の接合された位置に、対応して配置されるようになっている。
　　　【００３０】
　なお、本実施例において、床パネル１…の幅及び床パネル１…の棧材６…の配置される間隔は、規格化されており、床パネル１…の規格により束基礎２の配置が決められるようになっている。
　　　【００３１】
　布基礎３と床パネル１の接合構造は、周知のものであり、布基礎３上面に図示しない台輪を挟んだ状態で、床パネル１の端部が載置され、アンカーボルト３ｄに壁パネルと共に固定されるものである。
　　　【００３２】
　前記束基礎２と床パネル１、１の接合構造は、図１に示すように、縦框材４、４と平行に受け板９ｈが配置され、２枚の床パネル１、１の接合された縦框材４、４が、框材受具９ｃの側板９ｉ、９ｉ同士の間に嵌合するようにして、框材受具９ｃの受け板９ｈ上に載置されている。そして、２本のうちの一方の縦框材４が、受け板９ｈの下方から透孔９ｊを通して打たれた釘９ｋにより受け板９ｈに固定され、また、固定された縦框材４と他方の縦框材４が釘９ｋ…により固定されている。また、縦框材４、４に接合された棧材６、６が、受け材９ｈの側縁の左右両端部に分けて設けられた側板９ｉ、９ｉの間を通るようになっている。
　　　【００３３】
　次に、前記床構造を用いた床の施工方法について説明する。まず、家屋の形状に対応して、布基礎用の根切り穴を設け、根切り穴の底に地業３ｃを形成する。そして、地業３ｃ上に型枠を建て込み、型枠内にコンクリートを打設して布基礎３を形成する。
　　　【００３４】
　次に、地面の束基礎２…を載置する部分に砕石等を敷き込み、該砕石を転圧しておく。そして、束基礎２…を地面上に載置する。この際の束基礎２…の配置位置は、縦框材４、４同士を接合して隣接する床パネル１、１の前記縦框材４、４の下方に当たる位置で、かつ、縦框材４、４に棧材６もしくは横框材５が接合された位置である。そして、束基礎２…の載置位置は、縦框材４、４に沿って略等間隔で配置されるようになっている。
　　　【００３５】
　次に、束金物９…は、束基礎２…（コンクリート基礎部８…）の１本のアンカーボルト８ａに取り付けられ（図１及び図３参照）、さらに框材受具９ｃ…の高さをそれぞれ布基礎３の高さに合わせられる（図１参照）。
ここで、アンカーボルト８ａがベースプレート９ａを貫通して取り付ける位置は、棒状のボルト９ｂ、９ｄ、ターンバックル部９ｅからずれた位置とされている。
　　　【００３６】
　そして、まず、床パネル１の一側縁を布基礎３上に載置すると共に、他側縁を束基礎２…上に載置する。この際に床パネル１の他側縁側の縦框材４を束金物９の框材受具９ｃに、框材受具９ｃの受け板９ｈの下方から透孔９ｊを通して釘９ｋを打つことにより固定する。このとき、床パネル１の縦框材４は、一対の側板９ｉ、９ｉ間に位置しているため、この受け板９ｈから簡単に外れてしまうことはなく、釘９ｋの打ち込み作業を容易に進めることができる。
　　　【００３７】
　そして、床パネル１の長さ方向に沿った一列の床パネル１、１を布基礎３及び束基礎２…上に設置する。この際に、縦方向に隣接する床パネル１、１の横框材５、５同士を床パネル１、１の上面から斜めに釘を打つことにより接合する。
　　　【００３８】
　次に、設置された床パネル１、１に、隣接して配置される床パネル１、１を載置する。この際に、既に設置された床パネル１、１に隣接して配置される床パネル１の一側縁側の縦框材４は、束基礎２の框材受具９ｃに載置すると共に、すでに設置された床パネル１の縦框材４に床パネル１の上面から斜めに釘９ｋを打ち込むことにより接合する。
　　　【００３９】
　そして、床パネル１の他側縁側を、既に載置された床パネル１と同様に束金物２の框材受具９ｃと接合する。そして、上記作業を繰り返すことにより、床の一側縁側から他側縁側まで順次床パネル１…を載置していく。
　　　【００４０】
　なお、床パネル１同士は、各框材４、５同士が釘により接合されると共に、各框材４、５の外面側には、接着材が塗布されて床パネル１…同士が接着されるようになっている。
　　　【００４１】
　以上のように、本実施例の床構造によれば、床パネル１…の縦框材４…が直接束基礎２…により支持される構造なので、従来の床構造のように大引きを必要とせず、床の施工の簡略化及びコストの削減を行なうことができる。
　　　【００４２】
　また、図５に示すように、床パネル１…の棧材６…が、縦框材４…に、該縦框材４…に対して直角に接続されているので、縦框材４…を束基礎２…により支持する構造とした場合に、縦框材４…が従来の床パネルを用いない床構造の大引きに対応し、棧材６…及び横框材５…が従来の根太に対応した構成となり、床パネル１を用いて、床の施工を大幅に省力化した構成でありながら、従来の床パネル１…を用いない床構造と略同等の強度を持たせることが可能となる。
　　　【００４３】
　さらに、束基礎２…は、そのコンクリート基礎部８がプレキャストコンクリート製のコンクリートブロックとなっているので、容易に設置することができる。従って、床パネル１…の接合部毎に束基礎２…を設けることで、従来の床パネルと大引きを用いた床構造よりも多くの束基礎２…を使用する構成としても、床の施工を省力化することができる。
　　　【００４４】
　なお、本発明の床構造は、前記実施例に限られるものではなく、各部材の形状、寸法、材質等の具体的構成要件は、実施に当たり適宜変更可能である。例えば、図４に示すように、布基礎３を平面視して略正方形状に形成する必要はなく、建築すべき住宅に対応した形状としてもよいのは言うまでないことである。
　　　【００４５】
　また、床パネル１の棧材６の本数等も適宜変更してよい。さらに、図４においては、全て同じサイズの床パネル１…を用いたが、床の形状に対応して、使用する床パネル１…に異なるサイズのものを混ぜても良い。また、床パネル１を製造する際に、縦框材４及び横框材５及び棧材６は、それぞれ、相欠き溝を設けて接合するようにしてもよい。
　　　【００４６】
　　【発明の効果】
　以上、詳細に説明したように、本発明の床構造によれば、床パネルの縦框材を直接束基礎で支持するようにして、大引きをなくす構成として床の施工の省力化及びコスト削減を行なうことができる。
　　　【００４７】
　そして、本実施例の床構造では、床パネルの縦框材が大引きに対応し、床パネルの横框材及び棧材が根太に対応するので、床パネルを使用して、床の施工を省力化した構成となっているのにもかかわらず従来の床パネルを用いない床構造に似た構成となり、従来の床と同様の強度を有すると共に、大幅に床の施工を省力化することができる。さらに、框材受具の側板によって、隣り合う框材をまとめて外側から挟むようにしているため、床パネルが左右方向にずれるのを簡単な構造で規制することができ、しかも、床パネルを配設する際、床パネルの一つをこの框材受具上に載せた場合であっても、この框材が簡単に框材受具から外れることがなく、接着剤の塗布や釘打ち等のその後の作業を容易に進めることができる。
　　　【００４８】
　また、束基礎のコンクリート基礎部をプレキャストコンクリート製としたことにより、束基礎を容易に設置できる。従って、床パネルの接合部ごとに、束基礎を配置することで、従来の大引きと床パネルを用いた床構造よりも多くの束基礎を設置する可能性があっても、床の施工の省力化を妨げることがない。さらに、束金物はコンクリートブロックの１本のアンカーボルトに取り付けられるため、取付を容易かつ確実に行うことができる。
【図面の簡単な説明】
　　【図１】
　上記実施例の床構造を示す断面図である。
　　【図２】
　上記床構造で用いられる床パネルを示す展開斜視図である。
　　【図３】
　上記床構造で用いられる束基礎を示す斜視図である。
　　【図４】
　上記床構造における床パネル及び束基礎の配置を示す平面図である。
　　【図５】
　上記床構造における床パネル及び束基礎の配置を示す平面図である。
　　【符号の説明】
　１　床パネル
　１ａ　床パネルの枠体
　２　束基礎
　３　布基礎
　４　床パネルの縦框材
　５　床パネルの横框材
　６　床パネルの棧材
　７　床パネルの面材
　８　束基礎のコンクリート基礎部
　９　束基礎の束金物